(57)【特許請求の範囲】
【請求項１】
主体部(1)は互いに背向する一面(2)と他面(3)を有しかつ外形が正多角形、円柱、円錐台及び角錐台の内の一つのブロック状で、該一面(2)に鉄筋(T)を受ける複数本の凹条(4)が互いに交わって設けられ、該他面(3)に型枠(F)に当接する円弧状断面の複数本の突条(5)が互いに交わって設けられていることを特徴とするスペーサー。
【請求項２】
該複数本の凹条(4)は該一面(2)の中心で交わっている請求項１に記載のスペーサー。
【請求項３】
該複数本の突条(5)は該他面(3)の中心で交わっている請求項１又は２に記載のスペーサー。
【発明の詳細な説明】
【技術分野】
【０００１】
本発明は、鉄筋コンクリート製品における鉄筋と製品外面間のコンクリートのかぶり寸法を所定に保つために使用されるスペーサーに関し、殊にブロック型で単体で使用するものに関する。
【背景技術】
【０００２】
単体で使用するブロック型のスペーサーとして、特開平６−１５８７８５号、特開平６−１９３１９９号及び特開２００４−１３２１５６号に四角錐型のものが開示されている。何れもその底面を型枠に当て、頂面に形成された凹部に鉄筋を支持するようになっている。前二者は固定具が無く、最後の一者が固定具付きとなっている。
特開２００２−１０６１１４号には正六面体や正八角柱型のものが開示されている。正六面体はその一つの面を型枠に当て、この面と平行の他の面に鉄筋を支持するようになっている。また、正八角柱型のものは、軸線上で相対する平行二面の一面を型枠に当て、他面に鉄筋を支持するものである。
【特許文献１】特開平６−１５８７８５号
【特許文献２】特開平６−１９３１９９号
【特許文献３】特開２００４−１３２１５６号
【特許文献４】特開２００２−１０６１１４号
【発明の開示】
【発明が解決しようとする課題】
【０００３】
特開平６−１５８７８５号や特開平６−１９３１９９号に開示された正四角錐型のものは、何れもその底面を型枠に当て、頂面に形成された凹溝に鉄筋を支持するようになっている。これらのスペーサーは何れも底面を型枠に当てるため、コンクリート製品の完成時に製品の表面にスペーサーの底面が現れ、体裁が悪い。また、スペーサーは角錐面でコンクリートと接しており、その接着力だけでコンクリート製品中に収まっているので、打設コンクリートの回りが不十分で接着面に空隙ができていたりすると接着力が不足する。この場合、衝撃によってスペーサーが製品から抜け出すことがあり、一旦抜けるとそこから雨水が侵入して鉄筋を腐食するので、大変危険である。
【０００４】
特開２００４−１３２１５６号に開示された四角錐型のものは、倒四角錐状態で使用するもので、軸線上に相対する二つの面のうち、広い面は鉄筋支持面に供されて鉄筋を固定するための固定具が設けられており、型枠に対する当節部分となる狭い面は、中央の溝で二分されたり、あるいは断面が放物面となっている。二分の場合は型枠当節面が製品の外面に露出するので、前記の通りの体裁の悪さや抜け出しの危険があり、放物面の場合は、これらの問題は解決できるが、自立が不可能なので必ず鉄筋に取り付けておく必要があり、作業性が悪い。
【０００５】
特開２００２−１０６１１４号には正六面体や正八角柱型のものが開示されている。正六面体はその一つの面を型枠に当て、この面と平行の他の面に鉄筋を支持するようになっている。また、正八角柱型のものは、軸線上で相対する平行二面の一面を型枠に当て、他面に鉄筋を支持するものである。型枠に対しては面接触となるので、前記の通り体裁の悪さや抜け出しの危険がある。
【課題を解決するための手段】
【０００６】
本発明にかかるスペーサーは、主体部が互いに背向する一面と他面を有しかつ外形が正多角柱、円柱、円錐台及び角錐台のうちの一つのブロック状で、該一面に鉄筋を受ける複数本の凹条が互いに交わって設けられ、該他面に型枠に当接する円弧状断面の複数本の突条が互いに交わって設けられている。
【０００７】
「背向する一面と他面を有する」という意味は、「背向する」を「対向する」の反意語として使用することにより、一面と他面の背面同士が向き合っている状態を保っていることを意味している。凹条はこの一面に設けられており、突条はこの他面に設けられている。この凹条は鉄筋を安定させるためのものであり、鉄筋の断面形状に適合するものが好ましいが、特に限定はされない。また、他面の突条は円弧状断面とすることにより型枠との当接を面接触にしないようにしてスペーサーが製品の外面に露出するのを防ぐと共に、スペーサーの自立を保つためのものである。
【０００８】
このスペーサーは、その他面の突条で型枠面上に線接触状態で置かれ、一面の凹条で鉄筋を支持する。主体部はブロック状なので強度は十分であり、鉄筋の重量によって変形したり崩壊することはない。型枠内に充填したコンクリートが固化して型枠を外すと、スペーサーは製品内に埋設され、製品の外面に露出することはない。スペーサーのこの他面はコンクリートによって覆われているので、異常な振動や衝撃等の外力が加わらない限り、スペーサーが製品から抜け出ることはない。
【０００９】
該主体部は正多角柱、円柱、円錐台及び角錐台のうちの一つとなっており、鉄筋荷重に対する支持均衡が良好で、製作も容易である。
【００１０】
該凹条は互いに交わる複数本となっており、配筋状態に応じて凹条を選択的に供用することにより、スペーサーの最適な配置ができる。また該突条は円弧状断面で互いに交わる複数本となっており、型枠又は捨てコンクリートと線接触するので、スペーサーの自立性及び耐荷重性が向上し、型枠に対するスペーサーの配置が安定して、鉄筋荷重に十分対抗できると共に、製品表面にスペーサーが露出することがない。
【００１１】
（請求項２）該複数本の凹条は該一面の中心で交わっていてもよい。
こうすると、配筋状態に応じてスペーサーの向きを変えても、鉄筋荷重がスペーサーの中心を通って型枠に伝達することになるので、スペーサーが傾いたりせず、安定した支持を果たせる。
【００１２】
（請求項３）該複数本の突条は該他面の中心で交わっていてもよい。
こうすると、スペーサーを型枠に対し設置したときにその均衡が保て、良好な配置が可能となる。
【発明の効果】
【００１３】
本発明にかかるスペーサーは、主体部が互いに背向する一面と他面を有しかつ外形が正多角形、円柱、円錐台及び角錐台の内の一つのブロック状なので、主体部は鉄筋荷重に対する支持均衡が良好で強度も十分であり、製作も容易で、該一面に鉄筋を受ける複数本の凹条が互いに交わって設けられているので、配筋状態に応じて凹条を選択的に供用することにより、スペーサーの最適な配置ができ、該他面に型枠に当接する円弧状断面の複数本の突条が互いに交わって設けられているので、スペーサーの自立性及び鉄筋に対する耐荷重性が向上し、型枠に対するスペーサーの配置が安定し、型枠を外せばスペーサーは製品内に埋設されて外面に露出することはなく、スペーサーのこの他面はコンクリートによって覆われているので、振動等による外力が加わっても、スペーサーが製品から抜け出ることはない。
【００１４】
請求項２によれば、該複数本の凹条は該一面の中心で交わっているので、配筋状態に応じてスペーサーの向きを変えても、鉄筋荷重がスペーサーの中心を通って型枠に伝達することになり、スペーサーが傾いたりせず、安定した支持を果たせる。
【００１５】
請求項３によれば、該複数本の突条は該他面の中心で交わっているので、スペーサーを型枠に対し設置したときにその均衡が保て、良好な配置が可能となる。
【発明を実施するための最良の形態】
【００１６】
図面は本発明にかかるスペーサーの具体例を、大きなかぶり寸法Ｈをとるために重ねた状態にして、示す斜面図で、全図を通し、同一符号は同一若しくは相応部分を示す。
【００１７】
図１は本体部が正多角柱型のブロックとなったもの、図２は同じく上下を反転したもの、図３は円柱型、図４は同じく上下反転したもの、図５は円錐台型、図６は角錐台型である。
【００１８】
図１及び図２で、１は主体部で、互いに背向する一面２と他面３を有しかつ外形が正多角形のブロック状となっている。この一面２には鉄筋Ｔを受ける複数本の凹条４が互いに交わって設けられている。また、他面３に型枠Ｆに当接する円弧状断面の複数本の突条５が互いに交わって設けられている。
【００１９】
このスペーサーは、その他面３の円弧状断面の突条５で型枠Ｆ面上に置かれ、一面２の凹条４で鉄筋Ｔを支持する。凹条４の底点から突条５の頂点までの垂直寸法ｈがコンクリートのかぶり寸法となる。主体部１はブロック状なので強度は十分であり、鉄筋荷重に対する支持均衡も良好で、鉄筋Ｔの重量によって変形したり崩壊することはなく、製作も容易である。凹条４が複数本なので、配筋状態に応じて凹条４を選択的に供用することにより、スペーサーの最適な配置ができる。
【００２０】
スペーサーの自立性及び鉄筋Ｔに対する耐荷重性が向上するので、型枠Ｆに対するスペーサーの配置が安定する。型枠Ｆ内に充填したコンクリートが固化して型枠Ｆを外すと、スペーサーは製品内に埋設され、製品の外面に露出することはなく、スペーサーのこの他面３はコンクリートによって覆われているので、異常な振動や衝撃等の外力が加わらない限り、スペーサーが製品から抜け出る恐れはない。
【００２１】
（請求項２）複数本の凹条４は一面２の中心で交わっている。
この場合、配筋状態に応じてスペーサーの向きを変えても、鉄筋Ｔの荷重がスペーサーの中心を通って型枠Ｆに伝達することになるので、スペーサーが傾いたりせず、安定した支持を果たせる。
【００２２】
（請求項３）複数本の突条５は他面３の中心で交わっている。
この場合、スペーサーを型枠Ｆに対し設置したときにその均衡が保て、良好な配置が可能となる。
【図面の簡単な説明】
【００２３】
【図１】本発明にかかるスペーサーの具体例の正多角柱型を、三段重ねの状態で示す、上からみた斜面図である。
【図２】同、上下反転した状態の上からみた斜面図である。
【図３】別の態様の円柱型の図１と同様の斜面図である。
【図４】同、上下反転した状態の上から見た斜面図である。
【図５】更に別の態様の円錐台の図１と同様の斜面図である。
【図６】更に別の態様の角錐台の図１と同様の斜面図である。
【符号の説明】
【００２４】
１                         主体部
２                         一面
３                         他面
４                         凹条
５                         突条
Ｆ                         型枠
Ｔ                         鉄筋
【図１】
0004672311.tif 000002
【図２】
0004672311.tif 000003
【図３】
0004672311.tif 000004
【図４】
0004672311.tif 000005
【図５】
0004672311.tif 000006
【図６】
0004672311.tif 000007